(57)【特許請求の範囲】
【請求項１】
トラクタに取付枠を上下動可能に設け、該取付枠に土運搬台を後方傾動可能に設け、すき体を保持機構により前下がり状に保持及び引き上げ回動可能に配設し、該すき体に圃場土や圃場面上の夾雑物に接触することにより該すき体の前端部を下向き回動させる抵抗受け部を設けてなり、上記抵抗受け部は上記すき体の裏面に突設された棒状体からなることを特徴とする圃場整地機。
【発明の詳細な説明】
【技術分野】
【０００１】
本発明は田んぼ等圃場面の整地作業に用いられる圃場整地機に関するものである。
【背景技術】
【０００２】
従来、この種の圃場整地機として、トラクタに取付枠を上下動可能に設け、取付枠に土運搬台を後方傾動可能に設け、すき体を保持機構により前下がり状に保持及び引き上げ回動可能に配設し、すき体の裏面に左右二個の補強板を固定し、補強板の前部間に渡板を架設し、補強板の後部に圃場面内に没入してすき体の前端部を下向き回動させる板材からなる抵抗受け部を設けてなる構造のものが知られている。
【特許文献１】特許第３００５６０１号公報
【発明の開示】
【発明が解決しようとする課題】
【０００３】
しかしながら上記従来構造の場合、上記すき体の裏面に左右二個の補強板を固定し、補強板の前部間に渡板を架設し、補強板の後部に圃場面内に没入してすき体の前端部を下向き回動させる板材からなる抵抗受け部を設けた構造となっているため、抵抗受け部の構造が複雑化すると共に製作コストの低減を図ることができないことがあるという不都合を有している。
【課題を解決するための手段】
【０００４】
本発明はこれらの不都合を解決することを目的とするもので、本発明のうちで、請求項１記載の発明は、トラクタに取付枠を上下動可能に設け、該取付枠に土運搬台を後方傾動可能に設け、すき体を保持機構により前下がり状に保持及び引き上げ回動可能に配設し、該すき体に圃場土や圃場面上の夾雑物に接触することにより該すき体の前端部を下向き回動させる抵抗受け部を設けてなり、上記抵抗受け部は上記すき体の裏面に突設された棒状体からなることを特徴とする圃場整地機にある。
【発明の効果】
【０００５】
本発明は上述の如く、請求項１記載の発明にあっては、すき体に設けた抵抗受け部は圃場土や圃場面上の夾雑物に接触することによりすき体の前端部は下向き回動させられ、このためすき体の前端部の穿入を良好にでき、すき体の前端部の浮上がりを防ぐことができ、それだけすき作業能率を向上することができると共にこの抵抗受け部は上記すき体の裏面に突設された棒状体からなるので、抵抗受け部の構造を簡素化することができ、既存のすき体に抵抗受け部を容易に形成することができ、しかも、取付枠の底部分が接地するほどに取付枠を可及的下方位置に下げることができ、このため速やかに土を土運搬台内に導入することができる。
【発明を実施するための最良の形態】
【０００６】
図１乃至図９は本発明の実施例を示し、１はトラクタであって、トラクタ１の後部には連結機構２により取付枠３を連結している。
【０００７】
この場合、上記連結機構２はトラクタ１の左右両側部下部に突設した下部リンク４と、トラクタの左右両側部上部に突設した揺動アーム５と、揺動アーム５と下部リンク４の中程部を連結する吊上リンク６と、トラクタの上部に突設した上部リンク７とで構成され、上記下部リンク４の先端部と上部リンク７の先端部を連結ピン８により取付枠３に連結し、取付枠３を油圧により揺動する揺動アーム５によって上下動可能にしている。
【０００８】
９は保持機構であって、上記取付枠３を側面Ｌ状、後面四角枠状に形成し、取付枠３の左右の縦杆３ａ・３ａ間に断面三角形状の取付体１０の軸受部１０ａを左右両側のピン１１により揺動可能に枢着し、取付体１０の中央部にすき体１２を前下がり状に取付け、すき体１２の裏面左右両側に係止片１３・１３を突設し、取付枠３の水平杆３ｂの下面に係止片１３・１３の後部に当接可能なストッパー体１４を設け、すき体１２を前下がり状に保持及び引き上げ回動可能に構成している。
【０００９】
１５は土運搬台であって、土運搬台１５は長方形状の底板１６の四辺部に左右側板１７、前板１８、後板１９を立設して形成され、前板１８のすき体１２に対向する位置に土導入口部２０を形成している。
【００１０】
また、上記土運搬台１５の前板１８及び底板１６の外側に二個のＬ状の補強杆２１を固定するとともに底板１６のみに補強杆２２を間隔を置いて固定し、かつ底板１６の左右の辺部に他の補強杆２３を固定し、補強杆２１・２２間に取付枠３の水平杆３ｂを位置し、水平杆３ｂ及び補強杆２１・２２に支点軸２４を挿通し、土運搬台１５を支点軸２４を中心として後方傾動可能に取付けている。
【００１１】
２５は案内部材であって、上記土導入口部２０の下部の左右の補強杆２１・２１間に配置固定され、上記すき体１２の傾斜角度に合う案内面２５ａを形成している。
【００１２】
２６は係止機構であって、係止機構２６は取付枠３の上部の横杆３ｃに鉤状の係止アーム２７を軸２７ｂにより枢着し、係止アーム２７にハンドル２７ａを突設し、土運搬台１５の上部に係止部２８を形成し、係止アーム２７と係止部２８とを係合し、バネ部材２９によって係合状態を保持するようにしている。
【００１３】
３０は引上機構であって、この場合、横杆３ｃに枢着軸３１により操作レバー３２を枢着し、上記取付体１０の左右の軸受部１０ａに係止部１０ｂを設け、一方のピン１１に引上アーム３３を枢着し、引上アーム３３と操作レバー３２とを連結ワイヤー３４により連結し、引上アーム３３に上記係止部１０ｂに当接可能な押圧部３３ａを形成し、この係止部１０ｂと押圧部３３ａとにより係脱機構３５を形成し、しかして、図５の如く、操作レバー３２を枢着軸３１を中心に上向き回動すると、連結ワイヤー３４の弛み降下によりすき体１２はピン１１を中心としてすき体１２の自重で下向き回動して前下り状の使用位置ａに配設され、図６の如く、操作レバー３２を枢着軸３１を中心に下向き回動して連結ワイヤー３４を引き上げると係脱機構３５を介してすき体１２は略水平状態の不使用位置ｂまで引き上げられ、かつ、係脱機構３５によりすき体１２は前下り状の使用位置ａから作業終了時の反転状態の非すき作業位置ｃまで上向きの自由回動が許容され、すなわち、連結ワイヤー３４の操作に関係なく、すき体１２のみを使用位置ａから不使用位置ｂ及び作業終了時の反転状態の非すき作業位置ｃまで手や外力によりピン１１を中心として自由に上向き回動することが可能となっている。
【００１４】
３６は抵抗受け部であって、この場合、図２、図８、図９の如く、上記すき体１２の裏面にすき体１２のすくい面とほぼ直交状態に突設された棒状体からなり、トラクタ１の走行及びこの棒状体からなる抵抗受け部３６が圃場土や圃場面Ｍ上の夾雑物に接触することによってすき体１２の前端部１２ａが下向き回動するように構成されている。
【００１５】
３７はロック機構であって、この場合、図２の如く、上記他方の軸受部１０ａにロック板３７ａを固定し、ロック板３７ａに挿通穴３７ｂを形成し、上記非すき作業位置ｃにおいて、取付枠３に形成した挿通穴３ｄと合致する挿通穴３７ｂとの間に図示省略のロックピンを挿通することによりすき体１２を位置固定可能に設けて構成している。
【００１６】
この実施例は上記構成であるから、図１の如く、すき体１２を前下り状の使用位置ａに保持してトラクタ１を前進走行し、圃場面Ｍの高い所の土をすき体１２により削り取り、削り取られた土をすき体１２により土運搬台１５内に導入案内し、トラクタ１を圃場の低い所に移動し、その位置で作業者が人為的に係止機構２６を解除し、土運搬台１５を支点軸２４を中心として自重で後方傾動させ、土運搬台１５内の土を圃場面Ｍの低い所に排出し、この作業を繰り返すことにより圃場の整地作業を行うことになる。
【００１７】
この際、上記すき体１２に圃場土や圃場面Ｍ上の夾雑物に接触することによりすき体１２の前端部を下向き回動させる抵抗受け部３６を設け、この抵抗受け部は上記すき体１２の裏面に突設された棒状体からなるので、図８から図９の如く、上記すき作業時において、上記すき体１２に設けた抵抗受け部３６は圃場土や圃場面Ｍ上の夾雑物に接触することにより上記ピン１１を中心としてすき体１２の前端部１２ａは下向き回動させられ、このためすき体１２の前端部１２ａの穿入を良好にでき、すき体１２の前端部１２ａの浮上がりを防ぐことができ、それだけすき作業能率を向上することができると共にこの抵抗受け部は上記すき体１２の裏面に突設された棒状体からなるので、抵抗受け部３６の構造を簡素化することができ、既存のすき体１２に抵抗受け部３６を容易に形成することができ、しかも、取付枠３の底部分が接地するほどに取付枠３を可及的下方位置に下げることができ、このため速やかに土を土運搬台１５内に導入することができる。
【００１８】
尚、本発明は上記実施例のものに限られるものではなく、例えば抵抗受け部３６の構造等は適宜変更して設計される。
【００１９】
以上の如く、所期の目的を充分達成することができる。
【図面の簡単な説明】
【００２０】
【図１】本発明の実施の形態例の全体側面図である。
【図２】本発明の実施の形態例の拡大側断面図である。
【図３】本発明の実施の形態例の部分拡大断面図である。
【図４】本発明の実施の形態例の部分斜視図である。
【図５】本発明の実施の形態例の部分拡大側断面図である。
【図６】本発明の実施の形態例の部分拡大側断面図である。
【図７】本発明の実施の形態例の部分底面図である。
【図８】本発明の実施の形態例の部分側断面図である。
【図９】本発明の実施の形態例の部分側断面図である。
【符号の説明】
【００２１】
Ｍ    圃場面
１    トラクタ
３    取付枠
９    保持機構
１２    すき体
１２ａ    前端部
１５    土運搬台
３６    抵抗受け部
【図１】
0004997132.tif 000002
【図２】
0004997132.tif 000003
【図３】
0004997132.tif 000004
【図４】
0004997132.tif 000005
【図５】
0004997132.tif 000006
【図６】
0004997132.tif 000007
【図７】
0004997132.tif 000008
【図８】
0004997132.tif 000009
【図９】
0004997132.tif 000010